(57)【特許請求の範囲】
【請求項１】
扉に取り付けられるシリンダー錠であって、
外筒と、外筒内に配された内筒とを有し、内筒には鍵が挿入される鍵穴があり、当該鍵穴に所定の鍵を挿入することによって内筒を外筒に対して回転可能とすることができるシリンダー本体を有するシリンダー錠において、
前記シリンダー本体及び／又はシリンダー本体に装着される化粧部材に、電子機器が備えられており、
前記電子機器は、送信機から送信された信号を受信する受信手段と、ＩＤ解析用のＩＣを有し、
前記ＩＤ解析用のＩＣは、前記受信手段が受信した信号が、前記シリンダー錠と前記扉に取り付けられた他のシリンダー錠の開錠を行うのに適切なものであるか否かを判定することを特徴とするシリンダー錠。
【請求項２】
前記電子機器は、前記シリンダー錠及び前記扉に取り付けられた他のシリンダー錠を開錠するための操作スイッチを有することを特徴とする請求項１に記載のシリンダー錠。
【請求項３】
電子機器は、他の記録媒体から情報を読み取る情報読み取り手段を備えていることを特徴とする請求項１又は２に記載のシリンダー錠。
【請求項４】
扉と、一または複数の錠本体と、一または複数のシリンダー錠によって構成される電気錠システムにおいて、少なくとも一つの錠本体は、扉が開かないように扉枠に固定する本締機能を有し動力によって本締機能の発揮・解除が行われる電気式錠本体であり、且つ請求項１乃至３のいずれに記載のシリンダー錠が装着され、所定の鍵を鍵穴に挿入することによって電気式錠本体の施開錠を行うことが可能であり、且つ電子機器を機能させることによって、電気式錠本体の本締機能を解除可能な状況とすることが可能であることを特徴とする電気錠システム。
【請求項５】
手動ハンドルによって操作されるラッチを備えたラッチ式の錠本体と、少なくとも２基の電気式錠本体と、当該電気式錠本体に装着されたシリンダー錠を有し、
前記シリンダー錠の一つは、前記受信手段を備え、
他の一つのシリンダー錠の電子機器は、他の記録媒体から情報を読み取る情報読み取り手段を備えたものであることを特徴とする請求項４に記載の電気錠システム。
【発明の詳細な説明】
【技術分野】
【０００１】
本発明は、特有の機能を備えたシリンダー錠に関するものである。また本発明は、特有の機能を備えたシリンダー錠を利用した電気錠システムに関するものである。
【背景技術】
【０００２】
集合住宅やテナントビルでは、多数の家族や企業が入居している。集合住宅やテナントビルにおいて、正面玄関は各家庭や各企業の共有部分である。
正面玄関は、防犯のために施錠する必要がある。その一方で、集合住宅やテナントビルでは、正面玄関は各入居者が自由に施錠や開錠を行うことができることが望ましい。
そのため集合住宅やテナントビルでは、例えば特許文献１に開示された様なカード式の電気錠システムが導入されている場合がある。
カード式の電気錠システムは、電気錠と、カードリーダを組み合わせたものである。電気錠は玄関の扉を物理的に施錠する装置であり、玄関扉や扉枠に内蔵されている。
カードリーダは、カードの情報を読み取るものであり、玄関扉や玄関扉の近傍に取り付けられている。
カード式の電気錠システムでは、使用者がカードリーダにカードをさらすことにより、電気錠が開錠され、玄関扉を開くことができる状態となる。
【０００３】
また近年では、キーレス方式と称される電気錠システムを導入する集合住宅等もある。
キーレス方式の電気錠システムは、電気錠と、無線受信機を組み合わせたものである。キーレス電気錠システムでは、微弱な電波を発信するリモコン等の送信機を入居者に配布する。そして送信機を持った使用者が玄関に近づくと、送信機が送信する電波を受信機が受信し、電気錠を開錠可能な状態にする。そして使用者が所定のスイッチを操作したり、所定の場所に触れると、電気錠が開錠され、玄関扉を開くことができる状態となる。
【０００４】
図９は、従来技術の電気錠システムを採用した玄関扉の一例を示すものである。
従来技術の電気錠システム１００では、扉１０１を保持する扉枠１０２があり、当該扉枠にカードリーダ１０５等が取り付けられている。従来技術の電気錠システム１００においては、カードリーダ１０５等は、ドアハンドル１０６や、鍵を挿入する鍵穴１０３，１０４とは別の部材であり、鍵穴１０３，１０４等から物理的に離れた位置にカードリーダ１０５等が取り付けられていた。
【先行技術文献】
【特許文献】
【０００５】
【特許文献１】特開２０１４−１７３２９２号公報
【発明の概要】
【発明が解決しようとする課題】
【０００６】
従来技術の電気錠システム１００では、前記した様に、カードリーダ１０５等は、ドアハンドル１０６や、鍵を挿入する鍵穴１０３，１０４から離れた位置に独立して設置されている。
そのため従来技術の玄関扉は、一目見て電気錠システム１００を採用した玄関扉であることが分かる。ここで電気錠システム１００を採用した集合住宅やビルは、高級な建物である場合が多く、入居者や企業は、資産家であったり重要な機密を有する企業である場合が多い。
そのため電気錠システム１００を採用した建物は、盗人に狙われやすい。また盗人にとって、盗みの収穫が大きいので、電気錠システム１００を採用した建物を狙う盗人は、それ相応の準備をして盗みに入る。そのため防犯システムが破られ、大切な金品や情報が盗まれてしまう場合がある。
【０００７】
本発明は従来技術の上記した問題点に注目し、カードリーダ１０５等の電気錠システム１００の主要機器が目立たず、通常の鍵である様に見せかけることができる電気錠システムを提供することを課題とするものである。また本発明は、外観上、通常の鍵である様に見えるシリンダー錠を提供することを課題とするものである。
【課題を解決するための手段】
【０００８】
上記した課題を解決するための請求項１に記載の発明は、扉に取り付けられるシリンダー錠であって、外筒と、外筒内に配された内筒とを有し、内筒には鍵が挿入される鍵穴があり、当該鍵穴に所定の鍵を挿入することによって内筒を外筒に対して回転可能とすることができるシリンダー本体を有するシリンダー錠において、前記シリンダー本体及び／又はシリンダー本体に装着される化粧部材に、電子機器が備えられており、前記電子機器は、送信機から送信された信号を受信する受信手段と、ＩＤ解析用のＩＣを有し、前記ＩＤ解析用のＩＣは、前記受信手段が受信した信号が、前記シリンダー錠と前記扉に取り付けられた他のシリンダー錠の開錠を行うのに適切なものであるか否かを判定することを特徴とするシリンダー錠である。
また、関連する発明は、外筒と、外筒内に配された内筒とを有し、内筒には鍵が挿入される鍵穴があり、当該鍵穴に所定の鍵を挿入することによって内筒を外筒に対して回転可能とすることができるシリンダー本体を有するシリンダー錠において、前記シリンダー本体及び／又はシリンダー本体に装着される化粧部材に、当該シリンダー錠及び／又は他の錠を開錠する条件に関連する電子機器が備えられていることを特徴とするシリンダー錠である。
【０００９】
本発明のシリンダー錠は、シリンダー本体や、シリンダー本体に装着される化粧部材に電気錠システムを構築する電子機器が設けられている。そのため本発明によると、玄関の外観を通常の錠を採用したものと大差ないものとすることができる。
【００１０】
請求項２に記載の発明は、前記電子機器は、前記シリンダー錠及び前記扉に取り付けられた他のシリンダー錠を開錠するための操作スイッチを有することを特徴とする請求項１に記載のシリンダー錠である。
また、関連する発明は、電子機器は、他の機器からの信号を受信する受信手段を備えていることを特徴とするものである。
【００１１】
この構成によれば、キーレスシステムを構築することができる。そして玄関等の外観を通常の錠を採用したものと大差ないものとすることができる。
【００１２】
請求項３に記載の発明は、電子機器は、他の記録媒体から情報を読み取る情報読み取り手段を備えていることを特徴とする請求項１又は２に記載のシリンダー錠である。
【００１３】
本発明のシリンダー錠を使用すると、カード式等の電気錠システムを構築することができる。そして玄関等の外観を通常の錠を採用したものと大差ないものとすることができる。
【００１４】
請求項４に記載の発明は、扉と、一または複数の錠本体と、一または複数のシリンダー錠によって構成される電気錠システムにおいて、少なくとも一つの錠本体は、扉が開かないように扉枠に固定する本締機能を有し動力によって本締機能の発揮・解除が行われる電気式錠本体であり、且つ請求項１乃至３のいずれに記載のシリンダー錠が装着され、所定の鍵を鍵穴に挿入することによって電気式錠本体の施開錠を行うことが可能であり、且つ電子機器を機能させることによって、電気式錠本体の本締機能を解除可能な状況とすることが可能であることを特徴とする電気錠システムである。
【００１５】
本発明の電気錠システムを採用した玄関等の外観は、通常の錠を採用した玄関等と大差ない。
【００１６】
また請求項５に記載の発明は、手動ハンドルによって操作されるラッチを備えたラッチ式の錠本体と、少なくとも２基の電気式錠本体と、当該電気式錠本体に装着されたシリンダー錠を有し、前記シリンダー錠の一つは、前記受信手段を備え、他の一つのシリンダー錠の電子機器は、他の記録媒体から情報を読み取る情報読み取り手段を備えたものであることを特徴とする請求項４に記載の電気錠システムである。
さらに、関連する発明は、手動ハンドルによって操作されるラッチを備えたラッチ式の錠本体と、少なくとも２基の電気式錠本体と、当該電気式錠本体に装着されたシリンダー錠を有し、前記シリンダー錠の一つは、前記受信手段を備え、他の一つのシリンダー錠は前記情報読み取り手段を備えたものである。
【００１７】
電気錠システムによると、キーレスシステムとカード式の電気錠システムを併用したシステムを構築することができる。そして玄関等の外観を通常の錠を採用したものと大差ないものとすることができる。
【発明の効果】
【００１８】
本発明の電気錠システムによると、カードリーダ等の電気錠システムの主要機器が目立たず、通常の錠を装着している様に見せかけることができる。
また本発明のシリンダー錠は、電気錠システムの主要機器を内蔵し、且つ外観上は通常のシリンダー錠と変わらないシリンダー錠とすることができる。
【図面の簡単な説明】
【００１９】
【図１】本発明の実施形態のシリンダー錠を装着した玄関扉を示し、（ａ）は外側から玄関扉を観察した斜視図であり、（ｂ）は室内側から玄関扉を観察した斜視図である。
【図２】図１の玄関扉のハンドル部とシリンダー錠の部分の拡大斜視図である。
【図３】図１の玄関扉に装着されているキーレス機能付き錠ユニットを示し、（ａ）は外側から錠ユニットを観察した斜視図であり、（ｂ）は室内側から錠ユニットを観察した斜視図である。
【図４】図３のキーレス機能付き錠ユニットの分解斜視図である。
【図５】キーレス機能付きシリンダー錠の分解斜視図である。
【図６】図１の玄関扉に装着されているカード機能付き錠ユニットを示し、（ａ）は外側から錠ユニットを観察した斜視図であり、（ｂ）は室内側から錠ユニットを観察した斜視図である。
【図７】図６のカード機能付き錠ユニットの分解斜視図である。
【図８】カード機能付きシリンダー錠の分解斜視図である。
【図９】従来技術の電気錠システムを採用した玄関扉の一例を示す斜視図である。
【発明を実施するための形態】
【００２０】
以下さらに本発明の実施形態について説明する。
図１に示す玄関扉１は、発明の本実施形態の電気錠システムを採用したものである。玄関扉１は、扉枠２に扉本体３が取り付けられたものである。
扉本体３には、プッシュプル錠ユニット５と、キーレス機能付き錠ユニット６と、カード機能付き錠ユニット７が取り付けられている。
ここでプッシュプル錠ユニット５は、手動で操作するラッチ錠を備えている。またキーレス機能付き錠ユニット６と、カード機能付き錠ユニット７は、電気錠を備えている。
【００２１】
プッシュプル錠ユニット５は、公知のものであり、プッシュプル錠本体１０に、プッシュプルハンドル１１が取り付けられたものである。プッシュプル錠本体１０は、図示しないラッチを有し、プッシュプル錠本体１０からラッチが出没する。
プッシュプルハンドル１１は、ハンドル片１１ａ，１１ｂによって構成されている。
プッシュプル錠ユニット５は、一方のハンドル片１１ａ，１１ｂを押し又は引くことによってラッチが回転可能な状態となり、ハンドル片１１ａ，１１ｂで扉本体３を押すことによって扉本体３を開くことができる。
【００２２】
キーレス機能付き錠ユニット６は、錠本体１７ａにサムターン１８ａと、キーレス機能付きシリンダー錠２０が取り付けられたものである。
錠本体１７ａは、本締機能を有する電気錠であり、本体ケース２１からデッドボルト２２が出没するものである。本実施形態では、デッドボルト２２は鎌付きである。本実施形態では、デッドボルト２２は、ボルト本体部２５の中に鎌部材２６が内蔵されたものである。本体ケース２１にデッドボルト２２が収容されている際には、鎌部材２６はボルト本体部２５の中にあり、デッドボルト２２が本体ケース２１から突出すると、鎌部材２６がボルト本体部２５から飛び出す。
錠本体１７ａ内には、図示しない動力源がある。動力源は例えば、モータやソレノイドである。動力源に通電することにより、動力源を駆動し、デッドボルト２２を出没させることができる。
【００２３】
キーレス機能付きシリンダー錠２０は、図４，５の様に、シリンダー本体３０ａと化粧部材３１を有している。
シリンダー本体３０ａは、公知のそれと同様に外筒３３と、内筒３５があり、内筒３５は外筒３３内に挿入されている。外筒３３と内筒３５には連通する複数の穴（図示せず）があり、当該連通穴に図示しないピンが配されている。また内筒３５には鍵穴３６が形成されている。
公知の様に、鍵穴３６に所定の鍵を挿入すると、外筒３３と内筒３５の界面と、ピンの境界が合致して内筒３５が回転可能な状態となる。
【００２４】
化粧部材３１は、シリンダーカバーと称される部材であり、シリンダー本体３０ａの周囲を覆う笠状部材３７を有している。笠状部材３７の中にはバネが内蔵されており、シリンダー本体３０ａに対して軸方向に移動する。
笠状部材３７は、先端に開口３８を有し、当該開口３８に蓋部材４０が装着されている。
本実施形態では、蓋部材４０は、中心に円形の開口部４３がある。また蓋部材４０は、固定片４１と可動片４２を有している。前記した開口部４３は、固定片４１と可動片４２にそれぞれ設けられた半円状の切り欠きが合致して形成されるものである。
【００２５】
可動片４２は、図示しないヒンジを介して固定片４１に取り付けられており、可動片４２は、固定片４１に対して揺動する。
【００２６】
本実施形態のキーレス機能付きシリンダー錠２０は、化粧部材３１の中に電子機器が内蔵されている。具体的には、化粧部材３１の中に基板４５が内蔵されている。
基板４５は、キーレス機能付き錠ユニット６とカード機能付き錠ユニット７を開錠する条件に関連する機能を担う電子機器である。
キーレス機能付きシリンダー錠２０の基板４５は、無線受信機４６と、押しボタンスイッチ４７を有している。また基板４５には、ＩＤ解析用のＩＣ４８が設けられている。
無線受信機４６は、入居者が保持する送信機（リモコン）６５から発信される電波を受信するものである。ＩＤ解析用のＩＣ４８は、受信した信号を解析し、適切なものであるか否かを判定するものである。
押しボタンスイッチ４７は、錠（錠本体１７ａ，１７ｂ）を開錠するためのスイッチである。
【００２７】
本実施形態では、シリンダー本体３０ａに化粧部材３１が装着され、シリンダー本体３０ａの内筒３５の先端部分が、蓋部材４０の開口部４３から露出している。
またシリンダー本体３０ａと、化粧部材３１の蓋部材４０の間に空間があり、当該空間に基板４５が内蔵されている。基板４５に設けられた押しボタンスイッチ４７は、蓋部材４０の可動片４２の真裏の位置にあり、可動片４２を押すことにより、押しボタンスイッチ４７が操作される。
【００２８】
基板４５には、信号線４９があり、信号線４９は化粧部材３１の中を通過して化粧部材３１裏側に引き出されている。
【００２９】
次に、カード機能付き錠ユニット７について説明する。
図６に示すように、カード機能付き錠ユニット７についても、錠本体１７ｂにサムターン１８ｂを有し、キーレス機能付きシリンダー錠２０に代わってカード機能付きシリンダー錠５０が設けられたものである。
錠本体１７ｂは、前記した錠本体１７ａと同一のものであり、詳細説明を省略する。またサムターン１８ｂについてもサムターン１８ａと同一のものであり、詳細説明を省略する。
【００３０】
図７，８に示すように、カード機能付きシリンダー錠５０は、前記したキーレス機能付きシリンダー錠２０と同様にシリンダー本体３０ｂと化粧部材５１を有している。
カード機能付きシリンダー錠５０のシリンダー本体３０ｂは、キーレス機能付きシリンダー錠２０のシリンダー本体３０ａと同一である。
【００３１】
化粧部材５１は、前記したそれと略同様の構造であるので共通する部材に同一の番号を付して重複した説明を省略する。
化粧部材５１で採用する蓋部材５２は、開口部４３を有する一個の円形の部材である。
【００３２】
本実施形態のカード機能付きシリンダー錠５０は、化粧部材５１の中に電子機器が内蔵されている。具体的には、化粧部材５１の中に基板５５が内蔵されている。
基板５５は、キーレス機能付き錠ユニット６とカード機能付き錠ユニット７を開錠する条件に関連する機能を担う電子機器である。
カード機能付きシリンダー錠５０の基板５５は、カードリーダ５６を有している。また基板５５には、ＩＤ解析用のＩＣ５８が設けられている。
カードリーダ５６は、入居者が保持するカード６６と通信し、カード６６に書き込まれた情報を読み取るものである。ＩＤ解析用のＩＣ５８は、受信した信号を解析し、適切なものであるか否かを判定するものである。
【００３３】
本実施形態の玄関扉１では、プッシュプル錠ユニット５を挟んでその上にキーレス機能付き錠ユニット６が取り付けられており、その下にカード機能付き錠ユニット７が取り付けられている。
またキーレス機能付き錠ユニット６とカード機能付き錠ユニット７は、図示しない制御装置に接続されている。
キーレス機能付き錠ユニット６とカード機能付き錠ユニット７の錠本体１７ａ，１７ｂは、鍵によって開錠することができる。またキーレス機能付き錠ユニット６とカード機能付き錠ユニット７の錠本体１７ａ，１７ｂは、いずれも電気信号によって施錠と開錠を行うこともできる。
【００３４】
即ち本実施形態の玄関扉１は、鍵を使用する方法と、送信機（リモコン）を持ち歩く方法と、カードをかざす方法の３方法によって開錠可能な状態とすることができる。
即ちキーレス機能付き錠ユニット６とカード機能付き錠ユニット７の錠本体１７ａ，１７ｂは、いずれも図示しない鍵をシリンダー本体３０ａ，３０ｂに挿通して鍵を回すことによって開錠状態とすることができる。そしてプッシュプルハンドル１１を押す又は引くことによってラッチを回転可能な状態とし、さらにプッシュプルハンドル１１を押す又は引くことによって扉本体３を開くことができる。
【００３５】
また入居者には、送信機（リモコン）６５とカード６６が配布されている。
送信機６５は、微弱な電波を常時発信している。
送信機６５をポケットや鞄に入れた状態で使用者が玄関扉１に近づくと、キーレス機能付き錠ユニット６の化粧部材３１の中に配された基板４５の無線受信機４６が送信機６５から発信される電波を受信する。そしてＩＤ解析用のＩＣ４８が信号を解析し、所定の条件に合致する信号を含んでいるか否かを判定する。
受信した信号が、所定の条件に合致する信号を含んでいれば、図示しない制御装置にその情報が送信され、開錠準備状態となる。
そして使用者が蓋部材４０の可動片４２を押し、押しボタンスイッチ４７がオン状態となると、図示しない制御装置から、キーレス機能付き錠ユニット６とカード機能付き錠ユニット７の錠本体１７ａ，１７ｂに開錠信号が送信される。そしてキーレス機能付き錠ユニット６とカード機能付き錠ユニット７の双方が共に開錠状態となる。そしてプッシュプルハンドル１１を押す又は引くことによってラッチを回転可能な状態とし、さらにプッシュプルハンドル１１を押す又は引くことによって扉本体３を開くことができる。
【００３６】
またカード６６は情報を記憶するチップが内蔵されている。使用者はポケット等からカード６６を取り出し、カード機能付き錠ユニット７の化粧部材５１にかざすと、化粧部材５１の中に配された基板５５のカードリーダ５６がカード６６のＩＣチップと通信する。そしてＩＤ解析用のＩＣ５８が信号を解析し、所定の条件に合致する信号を含んでいるか否かを判定する。
受信した信号が、所定の条件に合致する信号を含んでいれば、図示しない制御装置にその情報が送信される。さらに制御装置から、キーレス機能付き錠ユニット６とカード機能付き錠ユニット７の錠本体１７ａ，１７ｂに開錠信号が送信される。そしてキーレス機能付き錠ユニット６とカード機能付き錠ユニット７が開錠状態となる。そしてプッシュプルハンドル１１を押す又は引くことによってラッチを回転可能な状態とし、さらにプッシュプルハンドル１１を押す又は引くことによってで扉本体３を開くことができる。
【００３７】
以上説明した実施形態では、シリンダー本体３０ａ，３０ｂに装着される化粧部材３１，５１に、錠を開錠する条件に関連する電子機器（基板４５，５５）が備えられているが、基板４５，５５をシリンダー本体３０ａ，３０ｂに内蔵してもよい。
【００３８】
以上説明した実施形態では、扉側に錠本体があり、扉側からデッドボルト２２を突出させたが、扉枠２側に錠本体があり、扉枠２側からデッドボルト２２を突出させる構成であってもよい。
【符号の説明】
【００３９】
１  玄関扉
５  プッシュプル錠ユニット
６  キーレス機能付き錠ユニット
７  カード機能付き錠ユニット
１７ａ，１７ｂ  錠本体
２０  キーレス機能付きシリンダー錠
３０ａ，３０ｂ  シリンダー本体
３１  化粧部材
３３  外筒
３５  内筒
３６  鍵穴
３７  笠状部材
４２  可動片
４５  基板
４６  無線受信機
４７  押しボタンスイッチ
５０  カード機能付きシリンダー錠
５１  化粧部材
５５  基板
５６  カードリーダ
６５  送信機（リモコン）
６６  カード
【図１】
0006778945.tif 000002
【図２】
0006778945.tif 000003
【図３】
0006778945.tif 000004
【図４】
0006778945.tif 000005
【図５】
0006778945.tif 000006
【図６】
0006778945.tif 000007
【図７】
0006778945.tif 000008
【図８】
0006778945.tif 000009
【図９】
0006778945.tif 000010